【手続補正書】
【提出日】平成24年10月4日(2012.10.4)
【手続補正１】
【補正対象書類名】特許請求の範囲
【補正対象項目名】全文
【補正方法】変更
【補正の内容】
【特許請求の範囲】
【請求項１】
テーブル本体を使用位置と収納位置に移動可能な折り畳みテーブルであって、
前記テーブル本体の内部に配設され、前記テーブル本体を支持するテーブルフレームと、
該テーブルフレームを一端部側で回動可能に支持する支持部材と、
該支持部材と前記テーブルフレームとの連結位置の長手方向の略中間に設けられ、前記テーブルフレームを使用位置で保持して前記テーブルフレームの回動を阻止するロック手段と、を備え、
前記ロック手段は、係合溝が形成された第１の係合部材と、該第１の係合部材の係合溝と係脱可能な第２の係合部材と、ロック付勢手段とを有し、前記第１の係合部材と前記第２の係合部材はいずれか一方が可動することで係脱可能に構成され、前記ロック付勢手段は前記可動する係合部材を係合する方向に付勢することを特徴とする折り畳みテーブル。
【請求項２】
前記ロック手段は、前記テーブル本体の内部に収容されることを特徴とする請求項１に記載の折り畳みテーブル。
【請求項３】
前記テーブルフレームは、対向させて組付けられた略平板状のメインフレームとサブフレームを含み、
前記ロック手段の少なくとも一部は、前記メインフレームと前記サブフレームの間に挟持されることを特徴とする請求項１又は２に記載の折り畳みテーブル。
【請求項４】
前記第１の係合部材及び前記第２の係合部材は板体からなり、前記係合溝は前記第１の係合部材の板厚方向に貫通して形成され、前記第２の係合部材は前記第１の係合部材と直交する向きで前記係合溝に挿通されて係合することを特徴とする請求項１乃至３のいずれか１項に記載の折り畳みテーブル。
【請求項５】
前記第１の係合部材は、外周面に、前記第２の係合部材が前記係合溝から外れたときに前記第２の係合部材の端部が摺接して移動する円弧状の摺接面を有し、
前記係合溝は、対向する一対の内壁面と、該一対の内壁面を連結する溝底とを有し、
前記係合溝の、前記摺接面と反対側の内壁面の溝底からの高さが、前記摺接面側の内壁面の溝底からの高さよりも大きく形成されることを特徴とする請求項１乃至４のいずれか１項に記載の折り畳みテーブル。
【請求項６】
前記テーブルフレームを収納位置方向に付勢するテーブル付勢手段をさらに備えることを特徴とする請求項１に記載の折り畳みテーブル。
【請求項７】
前記支持部材はパイプ部材で形成され、
前記メインフレームと前記サブフレームは、前記パイプ部材を挟持して前記支持部材に回動可能に取付けられ、前記メインフレームと前記サブフレームのそれぞれの前記支持部材を挟持した側の端部がヘミングかしめによって連結されることを特徴とする請求項３に記載の折り畳みテーブル。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
前記課題は、請求項１の折り畳みテーブルによれば、テーブル本体を使用位置と収納位置に移動可能な折り畳みテーブルであって、前記テーブル本体の内部に配設され、前記テーブル本体を支持するテーブルフレームと、該テーブルフレームを一端部側で回動可能に支持する支持部材と、該支持部材と前記テーブルフレームとの連結位置の長手方向の略中間に設けられ、前記テーブルフレームを使用位置で保持して前記テーブルフレームの回動を阻止するロック手段と、を備え、前記ロック手段は、係合溝が形成された第１の係合部材と、該第１の係合部材の係合溝と係脱可能な第２の係合部材と、ロック付勢手段とを有し、前記第１の係合部材と前記第２の係合部材はいずれか一方が可動することで係脱可能に構成され、前記ロック付勢手段は前記可動する係合部材を係合する方向に付勢すること、により解決される。
【手続補正５】
【補正対象書類名】明細書
【補正対象項目名】００１２
【補正方法】変更
【補正の内容】
【００１２】
このように、一端部側で回動可能に支持されるテーブルフレームの回動を阻止するロック手段は支持部材とテーブルフレームとの連結位置の長手方向の略中間に設けられ、第１の係合部材と、第１の係合部材に形成された係合溝と係脱可能な第２の係合部材とを有し、第１の係合部材と第２の係合部材のいずれか一方が可動することで係脱可能に構成され、さらにロック付勢手段が第１の係合部材と第２の係合部材のいずれか可動する方の係合部材を係合溝に係合する方向に付勢しているので、第１の係合部材と第２の係合部材のロック及びロック解除が支持部材とテーブルフレームとの連結位置で行われ、従来の折り畳みテーブルのようにテーブル本体を支持するリンクやロック手段の部材がテーブル本体の下側に露出せず、テーブル全体をコンパクトに構成できる。
【手続補正６】
【補正対象書類名】明細書
【補正対象項目名】００１３
【補正方法】変更
【補正の内容】
【００１３】
したがって、テーブル本体の使用位置と収納位置との切り替え時に、リンクやロック手段などの部材が展開して作動する空間が不要となり、テーブルの下側に空間を設けることができ、下側の空間を有効活用できる。
【手続補正７】
【補正対象書類名】明細書
【補正対象項目名】００１４
【補正方法】変更
【補正の内容】
【００１４】
このとき、前記ロック手段は、前記テーブル本体の内部に収容されるように構成することができる。ロック手段を支持部材とテーブルフレームとの連結位置に設けたことにより、テーブル本体内に収容でき、ロック手段を構成する部材がテーブル本体の下側に露出しない。
【手続補正８】
【補正対象書類名】明細書
【補正対象項目名】００１５
【補正方法】変更
【補正の内容】
【００１５】
また、前記テーブルフレームは、対向させて組付けられた略平板状のメインフレームとサブフレームを含み、前記ロック手段の少なくとも一部は、前記メインフレームと前記サブフレームの間に挟持されると好適である。
【手続補正９】
【補正対象書類名】明細書
【補正対象項目名】００１７
【補正方法】変更
【補正の内容】
【００１７】
具体的には、前記第１の係合部材及び前記第２の係合部材は板体からなり、前記係合溝は前記第１の係合部材の板厚方向に貫通して形成され、前記第２の係合部材は前記第１の係合部材と直交する向きで前記係合溝に挿通されて係合すると、より好適である。
【手続補正１０】
【補正対象書類名】明細書
【補正対象項目名】００１９
【補正方法】変更
【補正の内容】
【００１９】
また、前記第１の係合部材は、外周面に、前記第２の係合部材が前記係合溝から外れたときに前記第２の係合部材の端部が摺接して移動する円弧状の摺接面を有し、前記係合溝は、対向する一対の内壁面と、該一対の内壁面を連結する溝底とを有し、前記係合溝の、前記摺接面と反対側の内壁面の溝底からの高さが、前記摺接面側の内壁面の溝底からの高さよりも大きく形成されていると、好適である。
【手続補正１１】
【補正対象書類名】明細書
【補正対象項目名】００２１
【補正方法】変更
【補正の内容】
【００２１】
また、前記テーブルフレームを収納位置方向に付勢するテーブル付勢手段をさらに備えていると好適である。
このように、収納位置方向に付勢するテーブル付勢手段を備えているので、第１の係合部材の係合溝から第２の係合部材の係合が外れてロックが解除されると、テーブル付勢手段の収納位置方向への引っ張り力、及びテーブル本体の重量のトルクにより、テーブルフレームを含むテーブル本体を使用位置から収納位置に容易にスムーズに移動させることができる。また、テーブルの収納時には、収納状態の保持を確実にし、ガタツキを防止することができる。さらに、テーブル本体を収納位置から使用位置へ展開するときに、急激に荷重が加わることを防止でき、操作性及び耐久性が向上する。
【手続補正１２】
【補正対象書類名】明細書
【補正対象項目名】００２２
【補正方法】変更
【補正の内容】
【００２２】
さらに、前記支持部材はパイプ部材で形成され、前記メインフレームと前記サブフレームは、前記パイプ部材を挟持して前記支持部材に回動可能に取付けられ、前記メインフレームと前記サブフレームのそれぞれの前記支持部材を挟持した側の端部がヘミングかしめによって連結されていると好適である。
【手続補正１３】
【補正対象書類名】明細書
【補正対象項目名】００２４
【補正方法】変更
【補正の内容】
【００２４】
本発明に係る折り畳みテーブルによれば、テーブル本体を支持する部材やロック手段の部材がテーブル本体の下側に露出しないように構成でき、使用位置と収納位置との切り替え時に、リンクやロック手段などの部材が展開して作動する空間が不要となり、テーブルの下側の空間を有効活用できる。
また、本発明に係る折り畳みテーブルによれば、テーブルフレームを薄型化、小型化し、軽量化することができる。
また、本発明に係る折り畳みテーブルによれば、ロック手段の構造が簡単で、従来のヒンジロックのタイプと比較して、部品点数を大幅に削減することができ、製造コストの削減及び重量の軽量化が図れる。また、テーブルフレームを薄型化、小型化でき、テーブルフレームをテーブルカバーのデザインの影響を受けないように構成できる。さらに、デザインの変更時にはテーブルカバーのみを変更すればよく、デザインへの影響度を減らした、汎用性の高いテーブルフレームを提供することができる。
また、本発明に係る折り畳みテーブルによれば、別部材を用いることなく係合部材のストッパを設けることができ、部品点数を削減できる。
また、本発明に係る折り畳みテーブルによれば、テーブル本体を使用位置から収納位置に容易にスムーズに移動させることができ、また、テーブルの収納時には収納状態の保持を確実にし、ガタツキを防止することができる。さらに、テーブル本体を収納位置から使用位置へ展開するときに、急激に荷重が加わることを防止でき、操作性及び耐久性が向上する。
また、本発明に係る折り畳みテーブルによれば、部品点数を削減できるとともに、テーブルフレームの取付けが容易になる。